(57)【要約】【課題】ヘルメットの着用時に高い快適性が得られるだけでなく、ヘルメットに十分な墜落時保護性能を付与することができるヘルメット用ハンモックを提供する。【解決手段】ヘルメットの帽体４の内部に設けられて人頭に接するヘルメット用ハンモック１であって、放射状に配設された複数本の脚部８と、各脚部８を一体に連結する連結部９とからなるハンモック本体６を備えるものにおいて、人頭と帽体４との間に位置して衝撃を吸収する衝撃吸収構造部７をハンモック本体６に設ける。【選択図】図１
2015025226.tif 000002
【特許請求の範囲】
【請求項１】
ヘルメットの帽体内部に設けられて人頭に接するヘルメット用ハンモックであって、放射状に配設された複数本の脚部と、各脚部を頭頂部で互いに連結する連結部とからなるハンモック本体を備えるものにおいて、
人頭と帽体との間に位置して衝撃を吸収する衝撃吸収構造部を、前記ハンモック本体に設けたことを特徴とするヘルメット用ハンモック。
【請求項２】
前記衝撃吸収構造部は、互いに隣り合う前記脚部間に位置することを特徴とする請求項１記載のヘルメット用ハンモック。
【請求項３】
前記ハンモック本体は、前記連結部から前記脚部間に向かって延びる延出部を備え、
前記衝撃吸収構造部は、前記延出部に連結されていることを特徴とする請求項１又は２記載のヘルメット用ハンモック。
【請求項４】
前記ハンモック本体と前記衝撃吸収構造部とは、合成樹脂により一体成型されていることを特徴とする請求項１〜３の何れか１項記載のヘルメット用ハンモック。
【請求項５】
前記衝撃吸収構造部は、複数の筒状部と、各筒状部の一端を互いに連結する板状の基部とを備えて各筒状部の軸線方向に付与される衝撃力に対して所定の衝撃吸収能力を有することを特徴とする請求項１〜４の何れか１項記載のヘルメット用ハンモック。
【発明の詳細な説明】
【技術分野】
【０００１】
本発明は、ヘルメットの帽体内部に設けられて人頭に接するヘルメット用ハンモックに関する。
【背景技術】
【０００２】
従来、ヘルメットは、硬質の帽体と、人頭に接するハンモック、ヘッドバンド、環ひも等からなる着装体とを備えている。更に、この種のヘルメットにおいては、帽体の内面に衝撃吸収ライナが取り付けられている。
【０００３】
衝撃吸収ライナは、発泡スチロール等により形成されており、帽体の内面の殆どの範囲を覆っている。これにより、ヘルメット着用者の転倒や転落による墜落時に前頭部と後頭部との何れの側から衝撃を受けても、そのときの衝撃力を衝撃吸収ライナが適切に吸収して人頭を保護することができるようになっている（例えば、特許文献１参照）。
【先行技術文献】
【特許文献】
【０００４】
【特許文献１】特開平８−３１１７１３号公報
【発明の概要】
【発明が解決しようとする課題】
【０００５】
しかし、帽体と着装体との間に衝撃吸収ライナが設けられていると、帽体と人頭との間の空隙が僅かとなることから、ヘルメット内部の通気性が悪く、衝撃吸収ライナにより放熱も阻害される。このため、ヘルメット内部に熱こもりや蒸れが生じて着用時の快適性が損なわれる不都合がある。
【０００６】
一方、通気性や放熱性を確保するために、帽体の内面から衝撃吸収ライナを取り除くことが考えられる。しかし、衝撃吸収ライナを取り除いた場合、帽体直上位置からの落下物等の衝突時には、ハンモック等の着装体による衝撃力の緩和が得られるものの、着用者の墜落時に前頭部側或いは後頭部側から受ける衝撃力に対しては殆ど吸収することができないために、十分な墜落時保護性能が得られなくなる不都合がある。
【０００７】
上記の点に鑑み、本発明は、ヘルメットの着用時に高い快適性が得られるだけでなく、ヘルメットに十分な墜落時保護性能を付与することができるヘルメット用ハンモックを提供することを目的とする。
【課題を解決するための手段】
【０００８】
かかる目的を達成するために、本発明は、ヘルメットの帽体内部に設けられて人頭に接するヘルメット用ハンモックであって、放射状に配設された複数本の脚部と、各脚部を頭頂部で互いに連結する連結部とからなるハンモック本体を備えるものにおいて、人頭と帽体との間に位置して衝撃を吸収する衝撃吸収構造部を、前記ハンモック本体に設けたことを特徴とする。
【０００９】
これによれば、従来のように帽体の内面に衝撃吸収ライナを取り付けることなく、ハンモックに設けた衝撃吸収構造部により衝撃を吸収することができるので、ヘルメットに十分な墜落時保護性能を付与することができる。しかも、従来の衝撃吸収ライナが不要であることにより、ハンモックに接する人頭と帽体との間に十分な空隙を確保して通気性や放熱性が得られ、ヘルメット内部の熱こもりや蒸れを防止して高い快適性を得ることができる。
【００１０】
また、本発明において、前記衝撃吸収構造部は、互いに隣り合う前記脚部間に位置することを特徴とする。これによれば、前記脚部間のスペースを利用して衝撃吸収構造部を設けることができる。従って、衝撃吸収構造部を配置するためのスペースを帽体と脚部との間に確保する必要がないから、構造簡単として安価に製造することができる。
【００１１】
また、本発明において、前記ハンモック本体は、前記連結部から前記脚部間に向かって延びる延出部を備え、前記衝撃吸収構造部は、前記延出部に連結されていることを特徴とする。これによれば、延出部の延出長を設定するだけで、衝撃吸収構造部を所望の位置に配置させることができる。
【００１２】
また、本発明において、前記ハンモック本体と前記衝撃吸収構造部とは、合成樹脂により一体成型されていることを特徴とする。これによれば、前記衝撃吸収構造部を設けたことによるハンモックの部品点数の増加が防止でき、ヘルメットの組立工数の削減及び製造コストの低減が可能となる。
【００１３】
また、本発明における前記衝撃吸収構造部は、複数の筒状部と、各筒状部の一端を互いに連結する板状の基部とを備えて各筒状部の軸線方向に付与される衝撃力に対して所定の衝撃吸収能力を有するものを採用することができる。
【図面の簡単な説明】
【００１４】
【図１】本発明の実施形態のハンモックの取り付け状態を示す説明的斜視図。
【図２】本実施形態のハンモックを示す斜視図。
【図３】本実施形態のハンモックの展開図。
【図４】他の実施形態のハンモックを示す斜視図。
【図５】他の実施形態のハンモックの要部を示す説明図。
【図６】他の実施形態のハンモックの要部を示す説明図。
【発明を実施するための形態】
【００１５】
本発明の一実施形態を図面に基づいて説明する。図１に示すように、本実施形態のハンモック１は、ヘッドバンド２と共にヘルメットの着装体３を構成している。着装体３は、硬質材で形成される帽体４（図中仮想線示）の内部に設けられる。
【００１６】
ハンモック１は、人頭に接して人頭と帽体４との間に空隙を形成する。ヘッドバンド２は、人頭を囲繞して人頭に固定される。ヘッドバンド２の後頭部側には、人頭のサイズに合わせて周長を調節するためのサイズ調節手段５が設けられている。
【００１７】
次に、本発明の要旨に係るハンモック１の構成について詳説する。図２及び図３に示すように、ハンモック１は、ハンモック本体６と複数（本実施形態では４つ）の衝撃吸収構造部７とを備えている。
【００１８】
ハンモック本体６は、頭頂部から放射状に延びる複数（本実施形態では４本）の脚部８と、各脚部８を頭頂部で一体に連結する連結部９とによって構成されている。各脚部８は、図２に示すように、人頭に対応するように湾曲する形状に設けられる。
【００１９】
各脚部８の下端部には、帽体４内周面への連結手段１０が設けられている。連結手段１０は、帽体４内周面に固定される固定部材１１と、この固定部材１１に着脱自在に係止する係止部１２とからなり、係止部１２が各脚部８の下端部に一体に形成されている。
【００２０】
図３に示すように、ハンモック本体６の連結部９には、互いに隣り合う脚部８間に延びる複数（本実施形態では４本）の延出部１３が一体に設けられている。そして、各延出部１３の先端には衝撃吸収構造部７が一体に設けられている。即ち、本実施形態のハンモック１は、脚部８、連結部９、延出部１３及び衝撃吸収構造部７が、合成樹脂（例えばポリオレフィン系合成樹脂等）を材料とする射出成形により一体成形されている。
【００２１】
衝撃吸収構造部７が延出部１３に設けられていることにより、延出部１３の延出長を適宜設定するだけで、各衝撃吸収構造部７を所望の位置に配置させることができる。
【００２２】
衝撃吸収構造部７は、図２及び図３に示すように、何れも同一形状に形成されており、図３に示すように、複数（本実施形態では８個）の筒状部１４と、各筒状部１４の一端の底部を互いに連結する板状の基部１５とによって構成されている。筒状部１４は、多角筒状に形成されており、その軸線方向の潰れにより衝撃力を吸収する能力を備える。基部１５は、適度に撓ませることができる薄板状に形成されている。
【００２３】
本実施形態における衝撃吸収構造部７は、次の衝撃吸収能力を有する。即ち、高温処理（＋５０℃環境に２時間暴露）及び低温処理（−１０℃環境に２時間暴露）を行った衝撃吸収体（衝撃吸収構造部７と同一材料で同一形状のもの）を、ロードセルを備える金属製平面上に載置し、この衝撃吸収体上に、質量５．０ｋｇ、直径１２７ｍｍの平面形ストライカを高さ０．５ｍから落下させたとき、金属製平面のロードセルにより測定される衝撃荷重が２．５ｋＮ〜９．５ｋＮであり、且つ、衝撃力の継続時間が３ｍｓｅｃ〜１５ｍｓｅｃであるものを採用した。
【００２４】
そして、各衝撃吸収構造部７は、図１に示すように、夫々、帽体４の前面側の前頭部保護領域Ｆ、帽体４の両側面の側頭部保護領域Ｓ、及び帽体４の後面側の後頭部保護領域Ｒの内側に配設される。これにより、帽体４の前頭部保護領域Ｆ、後頭部保護領域Ｒ、及び側頭部保護領域Ｓにおいて十分な墜落時保護性能が発揮される。
【００２５】
上記の墜落時保護性能を確認するために、図１に示すように、ハンモック１を帽体４の内部に設けたヘルメットに対し、「日本工業規格Ｔ８１３１：２０００付属書２」における転倒・転落時保護用安全帽の規定に基づく試験を行った。その結果、前頭部試験及び後頭部試験では、帽体４、ハンモック１及び衝撃吸収構造部７の複合体として何れも、衝撃力が９．８１ｋＮ以下に抑えられており、前頭部保護領域Ｆ及び後頭部保護領域Ｒは、高い墜落時保護性能を有することが明らかとなった。
【００２６】
なお、側頭部保護領域Ｓに対しては、「日本工業規格Ｔ８１３３：２００７」の規定に基づく試験を行ったところ、衝撃力は１５．００ｋＮ（３００Ｇ）以下に抑えられていることが確認できた。これにより、側頭部保護領域Ｓにおいても十分な保護性能を有することが明らかとなった。
【００２７】
このように、各保護領域Ｆ，Ｓ，Ｒに対応する位置に衝撃吸収構造部７が設けられることで、従来のような帽体の内面の殆どを覆う衝撃吸収ライナを設けることなく、人頭と帽体４との間に比較的広い空隙を確保して十分な墜落時保護性能を得ることができ、ヘルメットの着用時に通気性や放熱性が得られて高い快適性を得ることができる。
【００２８】
なお、本実施形態においては、衝撃吸収構造部７の筒状部１４を多角筒状としたが、筒状部１４は多角筒状に限るものではなく、円筒状であってもよい。また、筒状部１４の数量及び大きさは適宜設定することができる。
【００２９】
また、本実施形態においては、４つの脚部８を備えるハンモック本体６を示したが、脚部８の数はこれに限るものではない。
【００３０】
また、衝撃吸収構造部７は、各保護領域Ｆ，Ｓ，Ｒのうちの所望の保護領域にのみ設けてもよい。即ち、図示しないが、帽体４の前頭部保護領域Ｆの内側と後頭部保護領域Ｒの内側にのみ衝撃吸収構造部７を設けてもよい。この場合、側頭部保護領域Ｓの衝撃吸収構造部７が不要になり、人頭と帽体４との間に一層広い空隙を形成することができるので、着用時の快適性を更に向上させることができる。
【００３１】
また、本実施形態のハンモック１は、脚部８、連結部９、延出部１３及び衝撃吸収構造部７が合成樹脂を材料とする射出成形により一体成形されている。これによれば、部品点数を少なくしてヘルメットの組立工数を低減させることができる。一方、本発明のハンモックはこれに限るものではなく、例えば、ハンモック本体と衝撃吸収構造部とを別部材とし、適宜の連結手段や接着剤等により、ハンモック本体に衝撃吸収構造部を連結した構成を採用してもよい。
【００３２】
また、本実施形態においては、ハンモック本体６に衝撃吸収構造部７を設けた例として、図３に示すように、衝撃吸収構造部７を互いに隣り合う前記脚部８間に配設したハンモック１を挙げたが、本発明のハンモックはこれに限るものではない。
【００３３】
例えば、図４に示すように、ハンモック本体６の各脚部８の外面（帽体の内面に対向する面）に複数の筒状部１６を配列させてなる衝撃吸収構造部１７を一体に形成してもよい。これによれば、衝撃吸収構造部１７が脚部８と帽体との間に位置し、その他の部分に広い空隙が形成されるので、着用時に通気性や放熱性が得られて高い快適性を得ることができる。
【００３４】
また、図５に示すように、ハンモック本体６の各脚部８の側縁から一体に張り出す基部１８を複数設け、各基部１８に筒状部１９を設けることにより、衝撃吸収構造部２０を形成してもよい。これによっても、着用時に人頭と帽体との間に通気性や放熱性が得られて、しかも、十分に衝撃を吸収することができる。
【００３５】
更に、図６に示すように、ハンモック本体６の各脚部８の側縁部に沿って、互いに所定間隔を存して配設した複数の衝撃吸収部材２１により衝撃吸収構造部２２を構成してもよい。各衝撃吸収部材２１は、板状の基部２３と各基部２３に１つずつ設けた筒状部２４とで形成され、固定部材２５により脚部８に一体に固定されている。これによると、図５に示す衝撃吸収構造部２０に比べて製造時の工数が増加するが、図５に示す衝撃吸収構造部２０と同等の効果を得ることができる。
【符号の説明】
【００３６】
１…ハンモック、４…帽体、６…ハンモック本体、７…衝撃吸収構造部、８…脚部、９…連結部、１３…延出部、１４…筒状部、１５…基部。
【図１】
2015025226.tif 000003
【図２】
2015025226.tif 000004
【図３】
2015025226.tif 000005
【図４】
2015025226.tif 000006
【図５】
2015025226.tif 000007
【図６】
2015025226.tif 000008